(57)【要約】【課題】小さなスペースに効率の良い放熱構造を設けることができる照明装置を提供する。【解決手段】光を出射するＬＥＤ２５と、導光体１９と、第１ケース１６とを有する照明装置２である。導光体１９は、光出射面１９ａと、光入射面１９ｂと、光出射面に対向する面である背面１９ｃとを有する。背面１９ｃは傾斜面である。第１ケース１６は熱伝導性を有し、ＬＥＤ２５と接触して導光体１９の背面１９ｃを覆う状態に設けられる。第１ケース１６と導光体１９との間には楔形状の内部空間Ｒが形成される。第１ケース１６には、内部空間Ｒを外部空間へつなげる少なくとも１つの開口２３ａ，２３ｂが設けられる。第１ケース１６の伝熱性、及び開口２３ａ，２３ｂを通して内部空間Ｒ内に形成される空気対流により、ＬＥＤ２５の熱は効率良く放熱され、これにより、ＬＥＤ２５が冷却される。ＬＥＤ２５として大投入電流で高輝度発光のパワーＬＥＤを使用できる。【選択図】図１
2007115508.tif 000002
【特許請求の範囲】
【請求項１】
光を放出する光源と、
光出射面、該光出射面に隣接する側面である光入射面、及び前記光出射面に対向する面である背面を有すると共に、前記光源から放出された光を前記光入射面から導入して前記光出射面から出射し、前記背面は傾斜面である導光体と、
前記光源と接触して前記導光体の背面を覆う状態に設けられ、前記導光体との間に内部空間を形成し、且つ熱伝導性を有する第１ケースと、を有し、
前記第１ケースは前記内部空間を前記第１ケースの外部空間へつなげる少なくとも１つの開口を有する
ことを特徴とする照明装置。
【請求項２】
請求項１記載の照明装置において、前記少なくとも１つの開口は空気流入用の開口と空気流出用の開口とを含むことを特徴とする照明装置。
【請求項３】
請求項２記載の照明装置において、前記空気流入用の開口は前記空気流出用の開口に比べて前記光源に近い位置に設けられることを特徴とする照明装置。
【請求項４】
請求項２又は請求項３記載の照明装置において、前記空気流出用の開口は前記第１ケースの側面に設けられることを特徴とする照明装置。
【請求項５】
請求項１から請求項４のいずれか１つに記載の照明装置において、前記第１ケースにおける前記導光体に対向する部分は前記導光体の光出射面に対して平行であることを特徴とする照明装置。
【請求項６】
請求項１から請求項５のいずれか１つに記載の照明装置において、前記第１ケースの熱を他の部分へ伝熱する伝熱手段をさらに有することを特徴とする照明装置。
【請求項７】
請求項６記載の照明装置において、前記伝熱手段は、入熱部と放熱部とを有する容器の中に液状媒体を収容して成るヒートパイプであり、該ヒートパイプの入熱部は前記内部空間の中に配置され、該ヒートパイプの放熱部は前記第１ケースの外部に配置されることを特徴とする照明装置。
【請求項８】
請求項１から請求項７のいずれか１つに記載の照明装置において、前記導光体と前記第１ケースとの間に配置されて前記導光体を支持する第２ケースをさらに有し、前記内部空間は前記第２ケースと前記第１ケースの間に形成されることを特徴とする照明装置。
【請求項９】
請求項８記載の照明装置において、前記第２ケースは光反射性を有する合成樹脂によって形成されることを特徴とする照明装置。
【請求項１０】
請求項８又は請求項９記載の照明装置において、前記第２ケースは少なくとも１つのネジ穴を有することを特徴とする照明装置。
【請求項１１】
請求項１から請求項１０のいずれか１つに記載の照明装置において、被照明体を支持し前記第１ケースの側部に嵌合する第３ケースを、さらに有することを特徴とする照明装置。
【請求項１２】
光を出射する照明装置と、該照明装置から出射された光を受ける電気光学パネルとを有し、前記照明装置は請求項１から請求項１１記載の照明装置であることを特徴とする電気光学装置。
【請求項１３】
請求項１２記載の電気光学装置を有することを特徴とする電子機器。
【発明の詳細な説明】
【技術分野】
【０００１】
本発明は、光源で発生した光を導光体を介して外部へ出射する照明装置に関する。また、本発明は、その照明装置を用いた電気光学装置に関する。また、本発明は、その電気光学装置を用いた電子機器に関する。
【背景技術】
【０００２】
現在、カーナビゲーション装置、携帯電話機、携帯情報端末機等といった各種の電子機器において、液晶表示装置、有機ＥＬ（Electro Luminescence）装置、プラズマディスプレイ装置等といった電気光学装置が広く用いられている。電気光学装置の中には、液晶表示装置に代表されるように、照明装置から出射される光を制御することによって、文字、数字、図形等といった像を表示する装置がある。
【０００３】
例えば、カーナビゲーション装置のように、明るい環境下で使用される電気光学装置に関しては、表示を見る者に対して鮮明な像を提供するために、照明装置から高輝度の光が出射されることが要求される。照明装置の光源としてＬＥＤ（Light Emitting Diode）等といった点状光源を用いる場合には、上記の高輝度の出射光を実現するためには、投入電流が大きい、例えば投入電流が５０ｍＡ〜３５０ｍＡ程度のＬＥＤ、いわゆるパワーＬＥＤを使用する必要がある。
【０００４】
このようなパワーＬＥＤは投入電流が大きいため、高温の熱が発生し、その熱がＬＥＤそれ自体に悪影響を及ぼすおそれがあり、これを回避するために照明装置は放熱構造を持つことが不可欠である。従来、導光体にヒートシンクを付設した構造の放熱構造を持った照明装置が知られている（例えば、特許文献１参照）。
【０００５】
【特許文献１】特開２００４−１７１９４８（第１０頁、図７）
【発明の開示】
【発明が解決しようとする課題】
【０００６】
しかしながら、特許文献１に開示された照明装置では複雑な形状のヒートシンクを設けるために広いスペースが必要となり、照明装置の大きさ、それを用いた電気光学装置の大きさ、ひいては、それらを用いた電子機器の大きさが非常に大きくならざるを得ないという問題があった。
【０００７】
本発明は、上記の問題点に鑑みて成されたものであって、小さなスペースに効率の良い放熱構造を設けることができる照明装置、電気光学装置、及び電子機器を提供することを目的とする。
【課題を解決するための手段】
【０００８】
本発明に係る照明装置は、（１）光を放出する光源と、（２）光出射面、該光出射面に隣接する側面である光入射面、及び前記光出射面に対向する面である背面を有すると共に、前記光源から出射した光を前記光入射面から導入して前記光出射面から出射し、前記背面は傾斜面である導光体と、（３）前記光源と接触して前記導光体の背面を覆う状態に設けられ、前記導光体との間に内部空間を形成し、且つ熱伝導性を有する第１ケースとを有し、（４）前記第１ケースは前記内部空間を前記第１ケースの外部空間へつなげる少なくとも１つの開口を有することを特徴とする。
【０００９】
この照明装置によれば、第１ケースに設けた開口を通して外部空間から内部空間へと空気の流れ、すなわち対流が発生し、第１ケースに生じた熱、従って第１ケースに接触する光源に生じた熱を効率良く放熱できる。また、本発明の照明装置は内部空間を流れる対流を利用するものなので大きなスペースを必要とせず、それ故、照明装置を小さく形成できる。
【００１０】
上記構成において、光源は投入電流が大きくて放出する光の輝度が高い光源、例えばパワーＬＥＤであることが望ましい。パワーＬＥＤは、例えば５０ｍＡ〜３５０ｍＡの投入電流を受けて動作する。導光体は、例えば透明な樹脂材料を成形加工することによって形成された樹脂成形部品であり、光出射面の反対面が傾斜する形状、いわゆる楔形状に形成された導光体である。第１ケースは、熱伝導性を備えた材料、例えばアルミニウム（Ａｌ）によって形成できる。第１ケースに設けられる開口は、１つでも良いし、複数でも良い。
【００１１】
次に、本発明に係る照明装置において、前記少なくとも１つの開口は空気流入用の開口と空気流出用の開口の２つを含むことが望ましい。こうすれば、内部空間の中に好ましい空気対流を形成でき、効果的な放熱を実現できる。また、この場合、前記吸気流入用の開口は前記空気流出用の開口に比べて前記光源に近い位置に設けられることが望ましい。こうすれば、光源の熱を効率良く放熱できる。
【００１２】
次に、本発明に係る照明装置において、前記空気流出用の開口は前記第１ケースの側面に設けられることが望ましい。こうすれば、内部空間の中に好ましい空気対流を形成でき、効果的な放熱を実現できる。
【００１３】
次に、本発明に係る照明装置において、前記第１ケースにおける前記導光体に対向する部分は前記導光体の光出射面に対して平行であることが望ましい。一般に、照明装置の外形形状に傾斜部分が存在すると、照明装置を掴んだり、照明装置を他の機器に取付けたりする際の取扱い性が悪くなる。これに対し、本発明態様のように第１ケースの外形部分を導光体の光出射面に対して平行に構成すれば、照明装置の取扱い性を向上できる。
【００１４】
次に、本発明に係る照明装置は、前記第１ケースの熱を他の部分へ伝熱する伝熱手段をさらに有することが望ましい。この伝熱手段は、例えば、熱伝導性を有する金属材料によって形成された単なる棒部材、板部材、ブロック部材、その他任意の形状とすることができる。また、伝熱手段は、例えば、いわゆるヒートパイプによって構成することもできる。
【００１５】
ヒートパイプとは、それ自体公知の伝熱要素であり、断面円形の管、断面角形の管、その他適宜の断面形状の管の中に、熱によって蒸発及び凝縮可能な液状媒体を収容し、管の壁内面に液体環流用の構造、例えば毛細管構造を設けたものである。伝熱手段をヒートパイプによって形成すれば、第１ケースの放熱効果をさらに一層高めることができる。
【００１６】
次に、本発明に係る照明装置は、前記導光体と前記第１ケースとの間に配置されて前記導光体を支持する第２ケースをさらに有し、前記内部空間は前記第２ケースと前記第１ケースの間に形成されることが望ましい。こうすれば、第２ケースによって内部空間を明確に形成できる。
【００１７】
また、前記第２ケースは合成樹脂、例えば光反射性を有する合成樹脂、例えば白色の合成樹脂によって形成されることが望ましい。こうすれば、導光体から漏れる光をこの第２ケースによって反射して照明のために有効利用できる。また、第２ケースを合成樹脂で形成することにより、内部空間を任意の希望の形状に形成できる。また、第２ケースにネジ穴を簡単に設けることができる。このネジ穴は、例えば、照明装置に配線基板を装着するためのネジ穴として用いたり、照明装置をカーナビゲーション装置等といった実機へ装着するためのネジ穴として用いたりできる。なお、ネジ穴は、必ずしも合成樹脂によって形成されるものだけに限定されるものではない。
【００１８】
次に、本発明に係る照明装置は、液晶パネル等といった被照明体を支持し前記第１ケースの側部に嵌合する第３ケースを、さらに有することが望ましい。この構成によれば、照明装置を被照明体に対して簡単且つ正確な位置に装着できる。
【００１９】
次に、本発明に係る電気光学装置は、光を出射する照明装置と、該照明装置から出射された光を受ける電気光学パネルとを有し、前記照明装置は以上に記載した構成の照明装置であることを特徴とする。このような電気光学装置は、例えば液晶表示装置である。
【００２０】
本発明に係る照明装置によれば、既述の通り、第１ケースに設けた開口を通して外部空間から内部空間へと空気の流れ、すなわち対流が発生し、第１ケースに生じた熱、従って第１ケースに接触する光源に生じた熱を効率良く放熱できる。また、本発明の照明装置は空間を流れる対流を利用するものなので大きなスペースを必要とせず、それ故、照明装置を小さく形成できる。従って、その照明装置を用いて構成される本発明の電気光学装置においても、小さな放熱構造によって効率良く放熱を行うことができる。
【００２１】
次に、本発明に係る電子機器は、上記構成の電気光学装置を有することを特徴とする。この電子機器としては、例えば、カーナビゲーション装置、携帯電話機、携帯情報端末機等が考えられる。本発明に係る電気光学装置によれば、上記の通り、小さな放熱構造によって効率良く放熱を行うことができるので、その電気光学装置を用いて構成される本発明の電子機器においても、小さな放熱構造によって効率良く放熱を行うことができる。
【発明を実施するための最良の形態】
【００２２】
（照明装置及び電気光学装置の第１実施形態）
以下、本発明に係る照明装置及び電気光学装置を実施形態に基づいて説明する。なお、本発明がこの実施形態に限定されないことはもちろんである。また、これから用いる図面においては各構成要素の寸法比が実際のものと異なる場合がある。
【００２３】
図１は、本発明に係る照明装置及びそれを組み込んだ電気光学装置の一実施形態を示している。図２は、その照明装置及びその電気光学装置を分解状態で示している。図３は、その照明装置を一部破断して示している。また、図４は、図３に示す構造から最上部の部品である第１ケース１６を取り除いた状態を示している。
【００２４】
図１において、本実施形態の電気光学装置１は、照明装置２と、電気光学パネル３とを有する。符号４は、実機（例えば、カーナビゲーション装置、携帯電話機）に属する配線基板を示している。電気光学パネル３と配線基板４とはＦＰＣ（Flexible Printed Circuit）基板５によって接続されている。本実施形態では、電気光学パネル３として液晶パネルを用いるものとする。電気光学パネル３は照明装置２によって照明される被照明体である。電気光学パネル３として液晶パネルを用いることにより、本実施形態の電気光学装置は液晶表示装置として構成されている。
【００２５】
液晶パネル３は、第１基板８及び第２基板９を有する。第１基板８は、透光性ガラス、透光性プラスチック等によって形成された第１透光性基板１０を有し、その第１透光性基板１０の外側表面には偏光板１１ａが貼着等によって装着されている。また、第１透光性基板１０の内側表面には、詳しくは図示しないが、矢印Ａ方向から見て行方向Ｘ及び列方向Ｙにマトリクス状に並べられた複数のスイッチング素子や、それらのスイッチング素子の個々につなげられた画素電極や、配向膜等といった各種の光学要素が設けられている。
【００２６】
第２基板９は、透光性ガラス、透光性プラスチック等によって形成された第２透光性基板１２を有し、その第２透光性基板１２の外側表面には偏光板１１ｂが貼着等によって装着されている。また、第２透光性基板１２の内側表面には、詳しくは図示しないが、カラーフィルタを構成するＢ（青）、Ｇ（緑）、Ｒ（赤）の各色着色膜や、それらを取り囲む格子状のブラックマスクや、対向電極や、配向膜等といった各種の光学要素が設けられている。
【００２７】
第１基板８と第２基板９との間には所定の間隙、いわゆるセルギャップが形成され、そのセルギャプ内に液晶が注入されて液晶層が形成されている。また、第１透光性基板１０のうちの第２透光性基板１２の外側へ張出す部分には駆動用ＩＣ１３が実装されている。第１基板８上の画素電極と第２基板９上の対向電極との間に駆動用ＩＣ１３によって所定の電圧を印加することにより、液晶層の配向を画素ごとに制御して、第２基板９の外側に文字、数字、図形等といった像を表示する。
【００２８】
なお、第１基板８に設けるスイッチング素子は、ＴＦＤ（Thin Film Diode）素子等といった２端子型のスイッチング素子でも良いし、ＴＦＴ（Thin Film Transistor）素子等といった３端子型のスイッチング素子でも良い。また、第１基板８は、スイッチング素子を用いない単純マトリクス型であっても良い。ＴＦＤ素子を用いる場合、第２基板９側の対向電極はストライプ電極である。また、ＴＦＴ素子を用いる場合、第２基板９側の対向電極は面状の共通電極である。単純マトリクス型の液晶パネルの場合は、第１基板８及び第２基板９の両方にストライプ電極が設けられ、それらのストライプ電極が互いに直角に交差する位置関係となる。
【００２９】
次に、照明装置２は、図２に示すように、第１ケース１６と、第２ケース１７と、第３ケース１８とを有する。第２ケース１７は第１ケース１６の中に収容される。第３ケース１８は、第２ケース１７を収容した状態の第１ケース１６を収容する。この照明装置２は、液晶パネル３についての列方向Ｙに対応する縦方向Ｙ’に長く、液晶パネル３の行方向Ｘに対応する横方向Ｘ’に短い、略長方形状を有している。第１ケース１６は、熱伝導性の高い材料、例えばＡｌによって形成されている。第１ケース１６の適所には通気用の２つの開口２３ａ及び２３ｂが設けられている。これらの開口２３ａ，２３ｂは、図３に示すように、横方向Ｘ’に延びている。図１に示すように、第２ケース１７を第１ケース１６の中に収容した状態で第２ケース１７と第１ケース１６との間に内部空間Ｒが形成されている。この内部空間Ｒは第２ケース１７の形状に対応した形状であり、本実施形態では楔形状の空間となっている。
【００３０】
図２において、第２ケース１７は、合成樹脂、すなわちプラスチックによって形成されている。第２ケース１７の適所にはネジ穴１５が設けられている。ネジ穴１５はプラスチックを材料として第２ケース１７を成形加工によって形成する際に同時に形成することができる。ネジ穴１５は、図４に示すように、横方向Ｘ’に関して複数、本実施形態では２個設けられている。図２において、第３ケース１８はプラスチックによって形成されている。第３ケース１８は、その周辺に側壁２２を有しており、その側壁２２によって囲まれる領域内に液晶パネル３を収容する。
【００３１】
照明装置２は、第２ケース１７と第３ケース１８との間に導光体１９を有する。この導光体１９は透光性樹脂を材料として成形加工によって形成されている。この導光体１９は、光出射面１９ａ、それに隣接する側面である光入射面１９ｂ、そして背面１９ｃを有する。背面１９ｃは、光入射面１９ｂが厚くその対向端面が薄くなるような傾斜面となっている。背面１９には、必要に応じて、プリズムパターンやドットパターンを付与することができる。光出射面１９ａには、必要に応じて、光学シート群２０が設けられる。この光学シート群２０は、例えば、導光体１９に接触して設けられた光拡散シートと、それに積層されたプリズムシートとによって構成される。また、背面１９ｃには、必要に応じて、光反射シート２１が設けられる。
【００３２】
第１ケース１６の側壁のうち導光体１９の光入射面１９ｂに対応する側壁（図２の左側の側壁）の内面にはＬＥＤ基板２４が設けられている。このＬＥＤ基板２４には複数のＬＥＤ（Light Emitting Diode）２５が実装されている。ＬＥＤ基板２４は図２の紙面垂直方向に延在しており、複数のＬＥＤ２５はそのＬＥＤ基板２４上で図２の紙面垂直方向に互いに適宜の間隔をおいて１列に並べられている。
【００３３】
ＬＥＤ２５は、投入電流が大きくて高輝度の光を放出できる、いわゆるパワーＬＥＤである。このパワーＬＥＤの投入電流は、例えば、５０ｍＡ〜３５０ｍＡの範囲内の適宜の値である。ＬＥＤ基板２４は、薄いプラスチック又は薄い金属膜によって形成されており、その表面又はその内部にはＬＥＤ２５へ電流等を供給するための配線パターンが形成されている。ＬＥＤ基板２４は熱伝導性の高い材料によって形成されることが望ましい。また、ＬＥＤ基板２４は第１ケース１６の側壁に接着剤によって接着することが望ましい。
【００３４】
第１ケース１６に設けられた２つの開口２３ａ及び２３ｂは、ぞれぞれ、突片２８ａ及び２８ｂを有している。これらの突片は開口２３ａ，２３ｂの１つの辺から斜めに延びている。図３に示すように、ＬＥＤ２５に近い側の突片２８ａは、開口２３ａのＬＥＤ２５から遠い側の辺を基線として第１ケース１６の外側へ向けて傾斜している。また、ＬＥＤ２５から遠い側の突片２８ｂは開口２３ｂのＬＥＤ２５から遠い側の辺を基線として第１ケース１６の内側（すなわち、内部空間Ｒ）へ向けて傾斜している。
【００３５】
開口２３ａ及び２３ｂは通気開口であるが、ＬＥＤ２５が発熱して高温になる場合には、これらの開口２３ａ，２３ｂを通して内部空間Ｒ内に空気の対流が形成される。この場合には、高温であるＬＥＤ２５に近い側の開口２３ａが吸気口になり、ＬＥＤ２５から遠い側の開口２３ｂが排気口になる。外部空間へ向けて斜めに張出している突片２８ａは内部空間Ｒ内へ空気を導入するのに適した傾斜状態となっている。また、内部空間Ｒへ向けて斜めに張出している突片２８ｂは内部空間Ｒ内の空気を外部へ排出するのに適した傾斜状態となっている。
【００３６】
ネジ穴１５は、照明装置２を実機（例えば、カーナビゲーション装置、携帯電話機）にネジによって装着する際に雌ネジとして用いられる。また、ネジ穴１５は、図１に示した配線基板４あるいはその他の配線基板を照明装置２に装着する際の雌ネジとして用いることもできる。
【００３７】
本実施形態の照明装置２及び液晶表示装置１は以上のように構成されているので、図１において、ＬＥＤ２５が点灯すると、ＬＥＤ２５からの光が導光体１９の光入射面１９ｂからその導光体１９の内部に導入される。導入されたその光が光出射面１９ａに対して臨界角度を越えるとその光は光出射面１９ａから外部へ出射する。そして、出射光は面状の光になって液晶パネル３を照明する。液晶パネル３へ供給された光は、第１基板８と第２基板９との間に挟持された液晶層によって画素ごとに変調され、その結果、偏光板１１ｂの外側面に画像が表示される。
【００３８】
ＬＥＤ２５は本実施形態の場合はパワーＬＥＤであるので、輝度の高い光を放出できる。従って、照明装置２は輝度の高い面状の光を出射できる。輝度の高いこの出射光を用いて行われた液晶パネル３による表示は、これを明るい環境下で見た場合でも鮮明に視認できる。このことは、例えば、カーナビゲーション装置における表示の際に非常に有利である。
【００３９】
上記のようにＬＥＤ２５が点灯すると、そのＬＥＤ２５は高温に発熱する。この発熱を放置するとＬＥＤ２５が破損して正常な照明処理を行うことができなくなるので、本実施形態では次のようにして放熱処理を行っている。すなわち、図３において、ＬＥＤ２５に発生した熱は、ＬＥＤ基板２４を介して第１ケース１６へ伝えられ、この第１ケース１６から外部へ放熱される。また、第１ケース１６と第２ケース１７との間には内部空間Ｒが設けられると共に、その内部空間Ｒは開口２３ａ，２３ｂを通して外部空間につながっているので、内部空間Ｒ内には好ましい空気の対流が形成され、その結果、第１ケース１６からの放熱は非常に効率良く行われる。この結果、ＬＥＤ２５は確実に冷却され、熱による破損から保護される。
【００４０】
特に、本実施形態では、ＬＥＤ２５に近い側に設けた吸気口２３ａと、ＬＥＤ２５から遠い側に設けた排気口２３ｂによって空気の吸排気を行うことにしたので、内部空間Ｒ内に好ましい対流を形成でき、それ故、ＬＥＤ２５を確実に冷却できる。
【００４１】
なお、内部空間Ｒは、必ずしも第２ケース１７を用いなくても形成できる。例えば、導光体１９を第３ケース１８に接着することによっても内部空間Ｒを形成できる。しかしながら、第２ケース１７を用いれば一定の形状の内部空間Ｒを確実に液晶表示装置１の中に形成することができる。
【００４２】
また、本実施形態では第２ケース１７を合成樹脂を材料とする成形加工によって形成したので、第２ケース１７の形状、従って内部空間Ｒの形状を任意の希望する形状に正確に設定できる。この成形加工を採用すれば、図４のネジ穴１５を所定位置に容易に形成できる。また、本実施形態において、第２ケース１７は光反射性を有する合成樹脂、例えば白色の合成樹脂によって形成することが望ましい。このように第２ケース１７に光反射性を持たせれば、図１において、導光体１９から漏れ出る光を液晶パネル３へ向けて反射できるので、光を有効に利用できることになる。
【００４３】
本実施形態においては、図１に示すように、楔形状の導光体１９に対して第１ケース１６によって逆楔形状の内部空間Ｒを形成するようにしたので、結果的に、第１ケース１６における導光体１９に対向する部分は、導光体１９の光出射面１９ａに対して平行になっている。この形状は、液晶表示装置１を手で掴む際や、液晶表示装置１を実機に取付ける際の液晶表示装置１の取扱いを非常に容易にしている。
【００４４】
（変形例）
上記の実施形態では、第１ケース１６にその外側へ突出する突片２８ａを設けたが、この突片２８ａは設けないことにすることもできる。こうすれば、第１ケース１６の外側の面が起伏の無い滑らかな平面になるので、照明装置２の周囲に何等かの部材を配置する際のその配置の仕方を自由に決めることができる。
【００４５】
また、上記の実施形態では、第１ケース１６に２つの開口２３ａ及び２３ｂを設けたが、開口の数は１個でも良い。この１個の開口によって空気の流通を促すことができる。また、開口の数は３個以上とすることもできる。また、開口は横に長い長方形状に限られず、短い長方形状や正方形状やその他の多角形状の開口を第１ケース１６の底面内で適宜に分布させても良い。
【００４６】
（照明装置及び電気光学装置の第２実施形態）
図５は、本発明に係る照明装置及び電気光学装置の他の実施形態を示している。この実施形態が図３に示した先の実施形態を異なる点は、第１ケース１６の底壁に開口２３ａ及び２３ｂを設けることに加えて、第１ケース１６の側壁にも他の開口２３ｃを設けたことである。なお、この場合には、第２ケース１７及び第３ケース１８の対応部分にも開口を開けることになる。
【００４７】
このように、第１ケース１６の側壁にも開口２３ｃを設けることにより、より好ましい空気の対流を内部空間Ｒ内に生じさせることができ、第１ケース１６による放熱効果をさらに一層高めることができる。なお、底壁内の開口２３ｂを無くして、その代わりに側壁の開口２３ｃを設けるようにすることもできる。
【００４８】
（照明装置及び電気光学装置の第３実施形態）
図６は、本発明に係る照明装置及び電気光学装置のさらに他の実施形態を示している。この実施形態が図３及び図５に示した先の実施形態と異なる点は、第１ケース１６に伝熱手段としてのヒートパイプ３１を設けたことである。ヒートパイプ３１は公知の熱伝達要素であり、例えば図７に示すように、管容器３２の中に液状媒体３３を封入し、管容器３２の壁内面に還流部材３４を設けて成る要素である。
【００４９】
このヒートパイプ３１はその一端部が熱入力部Ｎｉであり、他の一端部が熱出力部Ｎｏである。熱入力部Ｎｉが高温になると液状媒体３２がその部分で沸騰して蒸発し、その蒸発熱は低温度である熱出力部Ｎｏへ向かって流れ、熱出力部Ｎｏで外部に放出される。熱を放出した液状媒体３２は、その後、環状部材３４の働きによって熱入力部Ｎｉへ戻される。
【００５０】
本実施形態では、ヒートパイプ３１は図６においてＬＥＤ２５から遠い側の開口２３ｂを通して内部空間Ｒの中に差し込まれている。ヒートパイプ３１のうち内部空間Ｒの中に差し込まれた端部が熱入力部Ｎｉであり、外部空間に在る端部が熱出力部Ｎｏである。この構成により、開口２３ａ，２３ｂ及び内部空間Ｒを利用した放熱作用に加えて、ヒートパイプ３１を利用した放熱作用が行われ、その結果、第１ケース１６従ってＬＥＤ２５を非常に効率良く冷却することができる。
【００５１】
なお、ヒートパイプ３１の熱入力部Ｎｉは第１ケース１６の壁内面から離れて内部空間Ｒ内に配置されても良いし、あるいは、内部空間Ｒ内で第１ケース１６の壁内面に接触させても良い。また、ヒートパイプ３１の管容器３２の形状は、本実施形態のような単なる棒状の管形状に限られず、必要に応じて任意の形状にすることができる。例えば、熱入力部Ｎｉを平板形状にして面積を広げても良い。また、ヒートパイプ３１は１本に限られず、複数本とすることもできる。また、ヒートパイプ３１は、必ずしも、開口２３ｂを通して内部空間Ｒ内に差し込まなければならないものではなく、第１ケース１６の底壁外面に接触させて設けても良い。
【００５２】
（照明装置及び電気光学装置の第４実施形態）
図８は、本発明に係る照明装置及び電気光学装置のさらに他の実施形態を示している。この実施形態は、図１に示した先の実施形態に対して矢印Ｂで示した部分、すなわちＬＥＤ２５の近傍の第１ケース１６に改変を加えたものである。具体的には、図８において、第１ケース１６の側壁の近傍を加工して切起こし部３５を設け、この切起こし部３５によって第２ケース１７の先端を受けることにしている。この構成により、第２ケース１７を常に一定の位置に安定して配置することができる。
【００５３】
（電気光学装置のその他の実施形態）
以上、好ましい実施形態を挙げて本発明を説明したが、本発明はその実施形態に限定されるものでなく、請求の範囲に記載した発明の範囲内で種々に改変できる。
例えば、本発明は、液晶パネル以外の電気光学パネル、例えば、有機ＥＬパネル、無機ＥＬパネルパネル、プラズマディスプレイ（ＰＤＰ：Plasma Display）パネル、電気泳動ディスプレイ（ＥＰＤ：Electrophoretic Display）パネル、フィールドエミッションディスプレイ（ＦＥＤ：Field Emission Display：電界放出表示装置）パネル等を用いて形成することもできる。
【００５４】
（電子機器の実施形態）
以下、本発明に係る電子機器を実施形態を挙げて説明する。なお、この実施形態は本発明の一例を示すものであり、本発明はこの実施形態に限定されるものではない。
【００５５】
図９は、本発明に係る電子機器の一実施形態を示している。ここに示す電子機器は、液晶表示装置１０１と、これを制御する制御回路１００とを有する。制御回路１００は、表示情報出力源１０４、表示情報処理回路１０５、電源回路１０６及びタイミングジェネレータ１０７によって構成される。そして、液晶表示装置１０１は液晶パネル１０２及び駆動回路１０３を有する。
【００５６】
表示情報出力源１０４は、ＲＡＭ(Random Access Memory)等といったメモリや、各種ディスク等といったストレージユニットや、ディジタル画像信号を同調出力する同調回路等を備え、タイミングジェネレータ１０７により生成される各種のクロック信号に基づいて、所定フォーマットの画像信号等といった表示情報を表示情報処理回路１０５に供給する。
【００５７】
次に、表示情報処理回路１０５は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路１０３へ供給する。ここで、駆動回路１０３は、走査線駆動回路やデータ線駆動回路と共に、検査回路等を総称したものである。また、電源回路１０６は、上記の各構成要素に所定の電源電圧を供給する。
【００５８】
液晶表示装置１０１は、例えば、図１に示した液晶表示装置１を用いて構成できる。図１の液晶表示装置１では、高温に発熱するＬＥＤ２５の熱を、主に、第１ケース１６及び内部空間Ｒを利用して効率良く放熱し、これによりＬＥＤ２５を安定して高輝度で発光させ、これにより明るい表示を安定して行えるようにした。従って、この液晶表示装置１を用いた本電子機器においても明るい表示を安定して行うことができる。
【００５９】
図１０は、本発明に係る電子機器の他の実施形態であるカーナビゲーション装置を示している。このカーナビゲーション装置１１０は、例えば自動車の運転席のコンソールボックス等に装着される本体部１１１と、その本体部１１１から張出して上方へ延在する表示体部１１２とを有する。表示体部１１２の内部には表示装置１１３が設けられている。この表示装置１１３は、例えば、図１に示した液晶表示装置１を用いて構成できる。図１の液晶表示装置１では、高温に発熱するＬＥＤ２５の熱を、主に、第１ケース１６及び内部空間Ｒを利用して効率良く放熱し、これによりＬＥＤ２５を安定して高輝度で発光させ、これにより明るい表示を安定して行えるようにした。従って、この液晶表示装置１を用いた本カーナビゲーション装置１１０においても明るい表示を安定して行うことができる。
【００６０】
図１１は、本発明に係る電子機器のさらに他の実施形態である携帯電話機を示している。ここに示す携帯電話機１２０は、本体部１２１と、これに開閉可能に設けられた表示体部１２２とを有する。液晶表示装置等といった電気光学装置によって構成された表示装置１２３は、表示体部１２２の内部に配置され、電話通信に関する各種表示は、表示体部１２２において表示画面１２４によって視認できる。本体部１２１には操作ボタン１２５が配列されている。
【００６１】
表示体部１２２の一端部にはアンテナ１２６が伸縮自在に取付けられている。表示体部１２２の上部に設けられた受話部１２７の内部には、図示しないスピーカが配置される。また、本体部１２１の下端部に設けられた送話部１２８の内部には図示しないマイクが内蔵されている。表示装置１２３の動作を制御するための制御部は、携帯電話機の全体の制御を司る制御部の一部として、又はその制御部とは別に、本体部１２１又は表示体部１２２の内部に格納される。
【００６２】
表示装置１２３は、例えば、図１に示した液晶表示装置１を用いて構成できる。図１の液晶表示装置１では、高温に発熱するＬＥＤ２５の熱を、主に、第１ケース１６及び内部空間Ｒを利用して効率良く放熱し、これによりＬＥＤ２５を安定して高輝度で発光させ、これにより明るい表示を安定して行えるようにした。従って、この液晶表示装置１を用いた本携帯電話機１２０においても明るい表示を安定して行うことができる。
【００６３】
（変形例）
なお、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【図面の簡単な説明】
【００６４】
【図１】本発明に係る照明装置及び電気光学装置の一実施形態を示す断面図である。
【図２】図１の装置の分解断面図である。
【図３】図１の装置の主要部を一部破断して示す斜視図である。
【図４】図３に示す装置から最上部の部品である第１ケースを取り外した状態を示す一部破断斜視図である。
【図５】本発明に係る照明装置及び電気光学装置の他の実施形態を一部破断して示す斜視図である。
【図６】本発明に係る照明装置及び電気光学装置のさらに他の実施形態を一部破断して示す斜視図である。
【図７】図６の装置で用いるヒートパイプの一例を示す断面図である。
【図８】本発明に係る照明装置及び電気光学装置のさらに他の実施形態の要部を示す断面図である。
【図９】本発明に係る電子機器の一実施形態を示すブロック図である。
【図１０】本発明に係る電子機器の他の実施形態であるカーナビゲーション装置を示す斜視図である。
【図１１】本発明に係る電子機器のさらに他の実施形態である携帯電話機を示す斜視図である。
【符号の説明】
【００６５】
１．液晶表示装置（電気光学装置）、  ２．照明装置、
３．液晶パネル（電気光学パネル）、  ４．配線基板、  ５．ＦＰＣ基板、
８．第１基板、  ９．第２基板、  １０．第１透光性基板、  １１ａ，１１ｂ．偏光板、
１２．第２透光性基板、  １３．駆動用ＩＣ、  １５．ネジ穴、  １６．第１ケース、
１７．第２ケース、  １８．第３ケース、  １９．導光体、  １９ａ．光出射面、
１９ｂ．光入射面、  １９ｃ．背面、  ２０．光学シート群、  ２１．光反射シート、
２２．側壁、  ２３ａ，２３ｂ，２３ｃ．開口、  ２４．ＬＥＤ基板、  ２５．ＬＥＤ、
２８ａ，２８ｂ．突片、  ３１．ヒートパイプ（伝熱手段）、  ３２．管容器、
３３．液状媒体、  ３４．還流部材、  ３５．切起こし部、
１０１．液晶表示装置（電気光学装置）、  １０２．液晶パネル（電気光学パネル）、
１１０．カーナビゲーション装置（電子機器）、  １２０．携帯電話機（電子機器）、
Ｒ．内部空間
【図１】
2007115508.tif 000003
【図２】
2007115508.tif 000004
【図３】
2007115508.tif 000005
【図４】
2007115508.tif 000006
【図５】
2007115508.tif 000007
【図６】
2007115508.tif 000008
【図７】
2007115508.tif 000009
【図８】
2007115508.tif 000010
【図９】
2007115508.tif 000011
【図１０】
2007115508.tif 000012
【図１１】
2007115508.tif 000013